(57)【特許請求の範囲】
【請求項１】
第１部材と、前記第１部材に重なる閉状態と前記第１部材を解放する開状態とに変位する第２部材とを有し、前記閉状態において原稿が排出される排出口が形成される筐体と、
前記原稿を搬送方向に搬送する搬送ローラー対と、
前記第１部材に設けられ、前記搬送ローラー対によって搬送される前記原稿の一方の面を読み取る第１画像読取部と、
前記第２部材に設けられ、前記搬送ローラー対によって搬送される前記原稿の他方の面を読み取る第２画像読取部と、
前記第１画像読取部、前記第２画像読取部と前記排出口との間に配置され、前記原稿を前記排出口から排出させる排出ローラー対と、
前記第１部材に設けられた第１壁部と前記第２部材に設けられた第２壁部とによって形成され、前記第１画像読取部、前記第２画像読取部と前記排出口との間に設けられ、前記原稿が前記排出ローラー対によって排出される排出経路と、を備え、
前記排出経路の前記第１壁部には、前記排出口から侵入した外光を前記排出口側に反射する第１反射面を有して突出する第１突出部が設けられ、
前記排出経路の前記第２壁部には、前記外光を前記排出口側に反射する第２反射面を有して突出する第２突出部が設けられることを特徴とする画像読取装置。
【請求項２】
請求項１に記載された画像読取装置であって、
前記排出経路の前記第１壁部には、前記搬送方向に延在して立設する立設部が設けられ、
前記立設部は、前記第１突出部より前記第２壁部側に突出することを特徴とする画像読取装置。
【請求項３】
請求項１または請求項２に記載された画像読取装置であって、
前記第１反射面と前記第２反射面のうちの一方は、他方の面方向の位置に設けられ、前記一方の面方向と前記他方の面方向とが交わる下流側の角度は、９０度以上であることを特徴とする画像読取装置。
【請求項４】
請求項１から請求項３のいずれか一項に記載された画像読取装置であって、
前記第１突出部及び前記第２突出部は、前記搬送方向にそれぞれ複数設けられることを特徴とする画像読取装置。
【請求項５】
請求項１から請求項４のいずれか一項に記載された画像読取装置であって、
前記排出口の外側には、前記排出口から排出される前記原稿が載置される載置部が備えられることを特徴とする画像読取装置。
【発明の詳細な説明】
【技術分野】
【０００１】
本発明は、画像読取装置に関する。
【背景技術】
【０００２】
搬送経路に沿って搬送される原稿の画像を、装置内に備えられた画像読取部によって読み取る画像読取装置の一例としてのシートフィードスキャナーと呼ばれるものがある。
このようなシートフィードスキャナーの装置外側にはトレイが備えられ、装置内で画像読取部によって画像を読み取られた原稿は、排出口から排出されてトレイに載置される。トレイに原稿が載置された状態では、装置外側からの外光が原稿によって反射され、排出口から装置内の画像読取部に入り込むことがある。
外光が画像読取部に入り込む状態でキャリブレーションを行うと、画像読取部によって読み取る際の明るさの条件が高く設定されてしまう。そのため、画像読取部によって原稿を読み取った画像が暗くなってしまうことがある。
そこで、例えば特許文献１では、原稿が排出される排出経路に光を遮蔽する遮蔽部材を設け、外光が画像読取部に到達することを抑制している。
【先行技術文献】
【特許文献】
【０００３】
【特許文献１】特開２０１３−２５１７２７号公報
【発明の概要】
【発明が解決しようとする課題】
【０００４】
しかしながら、特許文献１の遮蔽部材を搬送経路に設けると、原稿が遮蔽部材に当接しながら排出されるので、原稿には搬送抵抗が生じる。また、遮蔽部材やその遮蔽部材を設けるための周辺部材を備えるので装置が大型化したり、装置の製造コストが増加する。また、遮蔽部材によって遮蔽されない隙間の部分から侵入した外光が、排出経路内において反射を繰り返し、画像読取部に到達することがある。そのため、キャリブレーションを行った際には、明るさの条件が高く設定されてしまい、画像読取部によって原稿を読み取った画像が暗くなってしまうという課題がある。
【課題を解決するための手段】
【０００５】
本発明は、上述の課題の少なくとも一部を解決するためになされたものであり、以下の形態または適用例として実現することが可能である。
【０００６】
［適用例１］第１部材と、前記第１部材に重なる閉状態と前記第１部材を解放する開状態とに変位する第２部材とを有し、前記閉状態において原稿が排出される排出口が形成される筐体と、前記原稿を搬送方向に搬送する搬送ローラー対と、前記第１部材に設けられ、前記搬送ローラー対によって搬送される前記原稿の一方の面を読み取る第１画像読取部と、前記第２部材に設けられ、前記搬送ローラー対によって搬送される前記原稿の他方の面を読み取る第２画像読取部と、前記第１画像読取部、前記第２画像読取部と前記排出口との間に配置され、前記原稿を前記排出口から排出させる排出ローラー対と、前記第１部材に設けられた第１壁部と前記第２部材に設けられた第２壁部とによって形成され、前記第１画像読取部、前記第２画像読取部と前記排出口との間に設けられ、前記原稿が前記排出ローラー対によって排出される排出経路と、を備え、前記排出経路の前記第１壁部には、前記排出口側に反射する第１反射面を有して突出する第１突出部が設けられ、前記排出経路の前記第２壁部には、前記排出口側に反射する第２反射面を有して突出する第２突出部が設けられることを特徴とする画像読取装置。
【０００７】
本適用例によれば、前記排出経路の前記第１壁部には、前記排出口側に反射する第１反射面を有して突出する第１突出部が設けられ、前記排出経路の前記第２壁部には、前記排出口側に反射する第２反射面を有して突出する第２突出部が設けられる。これにより、排出口から侵入した外光が、第１突出部及び第２突出部によって排出口側に反射される。そのため、排出口から侵入した外光が、第１画像読取部や第２画像読取部に到達することを抑制できる。従って、キャリブレーションを行った際に、明るさの条件が高く設定されてしまうことが回避され、第１画像読取部及び第２画像読取部によって原稿を読み取った画像が暗くなってしまうことがない。また、簡易な構成により、排出口から侵入した外光が、第１画像読取部や第２画像読取部に到達することを抑制できるので、画像読取装置が大型化することや製造コストの増加を抑制できる。
【０００８】
［適用例２］前記排出経路の前記第１壁部には、前記搬送方向に延在して立設する立設部が設けられ、前記立設部は、前記第１突出部より前記第２壁部側に突出することを特徴とする上記画像読取装置。
【０００９】
本適用例によれば、排出される原稿は、第１突出部に当接しないので、原稿は立設部に支持されて搬送方向における下流側に案内される。
【００１０】
［適用例３］前記第１反射面と前記第２反射面のうちの一方は、他方の面方向の位置に設けられ、前記一方の面方向と前記他方の面方向とが交わる前記搬送方向の下流側の角度は、９０度以上であることを特徴とする上記画像読取装置。
【００１１】
本適用例によれば、第１反射面の面方向に向かう外光を第２反射面によって、搬送方向の下流側の排出口側に反射させることができる。
【００１２】
［適用例４］前記第１突出部及び前記第２突出部は、前記搬送方向にそれぞれ複数設けられることを特徴とする上記画像読取装置。
【００１３】
本適用例によれば、第１突出部及び第２突出部より搬送方向の上流側に外光が反射されても、搬送方向の上流側に配置された別の第１突出部及び第２突出部によって排出口側に反射させることが可能である。
【００１４】
［適用例５］前記排出口の外側には、前記排出口から排出される前記原稿が載置される載置部が備えられることを特徴とする上記画像読取装置。
【００１５】
本適用例によれば、載置部に載置された原稿によって反射された外光が、排出口から侵入しても、第１突出部及び第２突出部によって、排出口側に反射させることができる。従って、外光が第１画像読取部や第２画像読取部に到達することを抑制できる。
【図面の簡単な説明】
【００１６】
【図１】シートフィードスキャナーの外観斜視図。
【図２】原稿を給送する状態でのシートフィードスキャナーの外観斜視図。
【図３】上部ユニットが下部ユニットに対して開いた状態にあるシートフィードスキャナーの外観斜視図。
【図４】シートフィードスキャナーの概略構成を示す側断面図。
【図５】搬送方向における上部ユニットの原稿が排出される側の部分を示す平面図。
【図６】搬送方向における下部ユニットの原稿が排出される側の部分を示す平面図。
【図７】排出経路の一部を示す斜視図。
【図８】排出経路の一部を示す断面図。
【図９Ａ】半球状に突出する複数の突出部の斜視図。
【図９Ｂ】半球状に突出する突出部の側面図。
【発明を実施するための形態】
【００１７】
（実施形態）
実施形態について図を参照し、説明する。
各図のＸ−Ｙ−Ｚ座標系において、Ｘ軸は画像読取装置の内部を搬送される原稿の幅方向を示す。Ｙ軸は原稿の搬送方向を示す。Ｙ軸の矢印の向きは下流側を示し、Ｙ軸の矢印の向きと反対側は上流側を示す。Ｚ軸は、Ｘ軸及びＹ軸と交差する方向を示し、Ｙ軸の方向に搬送される原稿の面と略直交する方向を示す。
【００１８】
図１は、画像読取装置の一例としてのシートフィードスキャナー（以降は、スキャナーという）１０の外観斜視図である。スキャナー１０の筐体１１は、下部ユニット１２及び上部ユニット１４により構成される。ペーパーサポート１６は、上部ユニット１４に対して開閉可能に備えられる。図１のペーパーサポート１６は、上部ユニット１４に対して閉じた状態を示す。ペーパーサポート１６は、上部ユニット１４の上部及び給送口２０（図２参照）を覆い、非給送状態にある。
【００１９】
図２は、原稿（不図示）を給送する状態のスキャナー１０の外観斜視図である。図２は、図１の排紙トレイ１８が引き出され、上部ユニット１４に対してペーパーサポート１６が開いた状態を示す。ペーパーサポート１６は、図１の閉じた状態から装置背面側に回動し、給送口２０を開放するとともにペーパーサポート１６の裏面である支持面１６ａが原稿載置部材２２に連なり、給送状態にある。ペーパーサポート１６及び原稿載置部材２２に載置された原稿は、給送口２０から筐体１１の内部に給送される。
【００２０】
下部ユニット１２の装置前面側には筐体１１内から原稿が排出される排出口２４が設けられる。筐体１１の外側には、排紙トレイ１８が備えられ、排出口２４から排出される原稿が排紙トレイ１８に載置される。排紙トレイ１８は、下部ユニット１２の底部に設けられる収納部５０（図４参照）に収納された状態（図１参照）と、装置前面側に引き出された状態（図２参照）とを取り得る。
【００２１】
図３は、上部ユニット１４が下部ユニット１２に対して開いた状態にあるスキャナー１０の外観斜視図である。上部ユニット１４は、搬送方向Ｙにおける下流側（以降、下流側という）を回動支点として回動可能に下部ユニット１２に取り付けられる。
【００２２】
上部ユニット１４は、図２の下部ユニット１２に対して閉じた状態にあって、下部ユニット１２とともに原稿の搬送経路を構成する閉状態と、図３の下部ユニット１２に対して開いた状態にあって、原稿の搬送経路を露呈させ、原稿の詰まりの処理を容易に行うことができる開状態とを取り得る。すなわち、上部ユニット１４は、下部ユニット１２に重なる閉状態と、下部ユニット１２を解放する開状態とに変位する。
【００２３】
次に、スキャナー１０における原稿の搬送経路について説明する。図４は、スキャナー１０の概略構成を示す側断面図である。給送口２０にセットされる原稿Ｐは、その先端側である下流側が原稿載置部材２２の原稿載置面２２ａに支持され、後端側である搬送方向Ｙにおける上流側（以降は、上流側という）がペーパーサポート１６の支持面１６ａに載置される。給送口２０には、複数枚の原稿Ｐをセットすることができる。
【００２４】
原稿載置部材２２に載置された原稿Ｐは、第１給送ローラー２６によりピックアップされて下流側に給送される。具体的には、原稿Ｐの原稿載置面２２ａに対向する面に、第１給送ローラー２６が接触しつつ回転することにより、原稿Ｐを下流側に向けて給送する。従って、スキャナー１０において複数枚の原稿Ｐを給送口２０にセットした場合には、原稿載置部材２２の原稿載置面２２ａ側の原稿Ｐから順に下流側に向けて給送される。
【００２５】
原稿載置部材２２は、第１給送ローラー２６よりも上流側において、給送口２０にセットされる原稿Ｐを支持するとともに、第１給送ローラー２６よりも下流側においては、第１給送ローラー２６により給送される原稿Ｐの搬送経路としての役割を果たしている。第１給送ローラー２６と対向する位置には第１給送ローラー２６側に付勢された原稿戻し部材２７が設けられ、原稿Ｐの重送を抑制している。
【００２６】
第１給送ローラー２６の下流側には、下部ユニット１２に第２給送ローラー２８が回転可能に設けられ、上部ユニット１４に分離ローラー３０が回転可能に設けられる。第２給送ローラー２８は、原稿Ｐの原稿載置面２２ａに対向する面に接触しつつ回転することにより、原稿Ｐを下流側に向けて給送する。
【００２７】
分離ローラー３０には所定の回転抵抗が与えられている。第１給送ローラー２６により２枚以上の原稿Ｐが給送された場合には、分離ローラー３０により分離され、第２給送ローラー２８と接している原稿Ｐのみが第２給送ローラー２８と分離ローラー３０とにニップされて下流側に給送される。
【００２８】
第２給送ローラー２８の下流側には、搬送ローラー対３２、画像読取部３４が設けられる。第２給送ローラー２８及び分離ローラー３０によりニップされて下流側に給送された原稿Ｐが搬送ローラー対３２にニップされて、搬送ローラー対３２の下流側に位置する画像読取部３４に搬送される。
【００２９】
搬送ローラー対３２は、下部ユニット１２に設けられた搬送駆動ローラー３２ａと、上部ユニット１４に設けられ、搬送駆動ローラー３２ａに対して従動回転する搬送従動ローラー３２ｂとを備えている。
【００３０】
画像読取部３４の下流側には、排出ローラー対３６が設けられる。排出ローラー対３６は、下部ユニット１２に設けられた排出駆動ローラー３６ａと、上部ユニット１４に設けられ、排出駆動ローラー３６ａに対して従動回転する排出従動ローラー３６ｂとを備えている。
【００３１】
第１給送ローラー２６、第２給送ローラー２８、搬送駆動ローラー３２ａ及び排出駆動ローラー３６ａは、下部ユニット１２内に設けられた駆動源（不図示）により回転駆動させられる。
【００３２】
画像読取部３４は、上部ユニット１４側に設けられた上部画像読取センサー３８と、下部ユニット１２側に設けられた下部画像読取センサー４０とを備えている。本実施形態において、上部画像読取センサー３８及び下部画像読取センサー４０は一例として密着型イメージセンサーモジュール（ＣＩＳＭ）として構成されている。
【００３３】
上部画像読取センサー３８及び下部画像読取センサー４０の下流側には、排出ローラー対３６によって原稿Ｐが排出される排出経路６０が設けられる。図４における一点鎖線は原稿Ｐの搬送経路を示す。原稿Ｐは、画像読取部３４において原稿Ｐの表面及び裏面の少なくとも一方の面の画像が読み取られた後、画像読取部３４の下流側に位置する排出ローラー対３６にニップされて排出口２４から排紙トレイ１８に向けて排出される。
【００３４】
図５は、搬送方向Ｙにおける上部ユニット１４の原稿が排出される側の部分を示す平面図である。上部画像読取センサー３８は、上部ユニット１４に備えられた支持部５１によって固定される。
【００３５】
上部画像読取センサー３８の上流側には、原稿が搬送される搬送面を有する上流側壁部５２が形成される。上部画像読取センサー３８の下流側には、原稿が搬送される搬送面を有する下流側壁部６１が形成される。
【００３６】
上部画像読取センサー３８の上流側であって、幅方向Ｘにおける中央部には、一対の搬送従動ローラー３２ｂが備えられる。一対の搬送従動ローラー３２ｂの外周面は、上流側壁部５２に設けられた開口部５５から図面垂直方向（Ｚ軸方向）の上側に突出して設けられる。
【００３７】
上部画像読取センサー３８の下流側であって、幅方向Ｘにおける中央部には、一対の排出従動ローラー３６ｂが備えられる。一対の排出従動ローラー３６ｂの外周面は、下流側壁部６１に設けられた開口部６７から図面垂直方向の上側に突出して設けられる。
【００３８】
下流側壁部６１には、図面垂直方向の上側に突出する複数の突出部６２（図７参照）が設けられる。矢印Ａ１は、一対の排出従動ローラー３６ｂの軸方向（幅方向Ｘ）における図面左側の範囲を示し、矢印Ａ３は、一対の排出従動ローラー３６ｂの軸方向における図面右側の範囲を示す。矢印Ａ２は、二つの排出従動ローラー３６ｂ間の範囲を示す。本実施形態では、幅方向Ｘに延在し、搬送方向Ｙに３本並ぶ突出部６２が、範囲Ａ１，Ａ２，Ａ３において、それぞれ形成される。
【００３９】
図６は、搬送方向Ｙにおける下部ユニット１２の原稿が排出される側の部分を示す平面図である。下部画像読取センサー４０は、下部ユニット１２に備えられた支持部５３によって固定される。
【００４０】
下部画像読取センサー４０の上流側には、原稿が搬送される搬送面を有する上流側壁部５４が形成される。下部画像読取センサー４０の下流側には、原稿が搬送される搬送面を有する下流側壁部６３が形成される。
【００４１】
下部画像読取センサー４０の上流側であって、幅方向Ｘにおける中央部には、一対の搬送駆動ローラー３２ａが備えられる。一対の搬送駆動ローラー３２ａの外周面は、上流側壁部５４に設けられた開口部５６から図面垂直方向（Ｚ軸方向）の上側に突出して設けられる。
【００４２】
下部画像読取センサー４０の下流側であって、幅方向Ｘにおける中央部には、一対の排出駆動ローラー３６ａが備えられる。一対の排出駆動ローラー３６ａの外周面は、下流側壁部６３に設けられた開口部６８から図面垂直方向の上側に突出して設けられる。
【００４３】
下流側壁部６３には、図面垂直方向の上側に突出する複数の突出部６５（図７参照）が設けられる。また、下流側壁部６３には、搬送方向Ｙに延在し、Ｚ軸方向に立設する立設部としての複数のリブ６４（図７参照）が設けられる。
【００４４】
矢印Ｂ１は、一対の排出駆動ローラー３６ａの軸方向（幅方向Ｘ）における図面左側の範囲を示し、矢印Ｂ３は、一対の排出駆動ローラー３６ａの軸方向における図面右側の範囲を示す。矢印Ｂ２は、二つの排出駆動ローラー３６ａ間の範囲を示す。
【００４５】
本実施形態では、幅方向Ｘに延在し、搬送方向Ｙに３本並ぶ突出部６５が、範囲Ｂ１，Ｂ２，Ｂ３において、それぞれ形成される。また、リブ６４は、範囲Ｂ１，Ｂ２，Ｂ３にそれぞれ設けられ、突出部６５は、リブ６４の幅方向Ｘにおける両側に形成される。
【００４６】
図７は、下部ユニット１２の下流側壁部６３、及び上部ユニット１４の下流側壁部６１の断面を含み、排出経路６０の一部を下流側から見た斜視図である。上述したように、リブ６４は、下流側壁部６３に設けられ、Ｚ軸方向において下流側壁部６１に向かって突出した形状を有し、搬送方向Ｙに延在する。突出部６５は、下流側壁部６３に設けられ、リブ６４の幅方向Ｘの両側に設けられる。
【００４７】
突出部６５は、Ｚ軸方向において下流側壁部６１側（図面上側）に突出した形状である。突出部６５の下流側には、反射面６５ａ，６５ｂ，６５ｃが幅方向Ｘに延在する。突出部６５は、搬送方向Ｙに３本並んで設けられる。
【００４８】
Ｚ軸方向において、リブ６４の先端部６４ａの位置は、突出部６５の先端部６６ａ，６６ｂ，６６ｃより下流側壁部６１に近い位置にある。すなわち、Ｚ軸方向において、リブ６４は、突出部６５より突出している。
【００４９】
突出部６２は、Ｚ軸方向において下流側壁部６３側（図面下側）に突出した形状である。突出部６２の下流側には、反射面６２ａ，６２ｂ，６２ｃが幅方向Ｘに延在する。突出部６２は、搬送方向Ｙに３本並んで設けられる。
【００５０】
突出部６５の反射面６５ａの面方向（破線Ｃ１で示す方向）には、突出部６２の反射面６２ｂが配置される。突出部６５の反射面６５ｂの面方向（破線Ｃ２で示す方向）には、突出部６２の反射面６２ｃが配置される。同様に、突出部６２の反射面６２ａの面方向（破線Ｃ３で示す方向）には、突出部６５の反射面６５ｃが配置される。
【００５１】
次に、突出部６２，６５によって下流側に外光を反射する様子について説明する。図８は、排出経路６０の一部を示し、幅方向Ｘから見た断面図である。下流側（図面左側）に設けられた排出口２４（図４参照）から侵入した外光は、突出部６２，６５より下流側に設けられた部材によって反射され、実線矢印に示したように、様々な角度から下流側から上流側に向かって入り込む。そのため、反射面６２ａ，６２ｂ，６２ｃ，６５ａ，６５ｂ，６５ｃに対して、様々な角度から入射し、様々な角度で反射する。
【００５２】
反射面６５ａの面方向（破線Ｃ１に示す方向）と反射面６２ｂの面方向との交わる下流側の角度Ｑ１は、９０度以上に設けられる。これにより、反射面６５ａの面方向に反射された反射光は、破線矢印で示すように、反射面６２ｂによって下流側に反射される。
【００５３】
同様に、反射面６５ｂの面方向（破線Ｃ２に示す方向）と反射面６２ｃの面方向との交わる下流側の角度Ｑ２は、９０度以上に設けられる。これにより、反射面６５ｂの面方向に反射された反射光は、破線矢印で示すように、反射面６２ｃによって下流側に反射される。
【００５４】
同様に、反射面６２ａの面方向（破線Ｃ３に示す方向）と反射面６５ｃの面方向との交わる下流側の角度Ｑ３は、９０度以上に設けられる。これにより、反射面６２ａの面方向に反射された反射光は、破線矢印で示すように、反射面６５ｃによって下流側に反射される。
【００５５】
このように、反射面６５ａ、６５ｂ、６２ａの面方向に反射された反射光は、それぞれの反射面の面方向に位置する反射面６２ｂ、６２ｃ、６５ｃによって下流側に反射される。従って、反射面６５ａ、６５ｂ、６２ａによって反射される反射光は、下流側に反射される。
【００５６】
以上、本実施形態で説明した図２のスキャナー１０は、第１部材としての下部ユニット１２と、下部ユニット１２に重なる閉状態と下部ユニット１２を解放する図３の開状態とに変位する第２部材としての上部ユニット１４とを有し、図４の閉状態において原稿Ｐが排出される排出口２４が形成される筐体１１と、原稿Ｐを搬送方向Ｙに搬送する搬送ローラー対３２と、下部ユニット１２に設けられ、搬送ローラー対３２によって搬送される原稿Ｐの一方の面を読み取る第１画像読取部としての下部画像読取センサー４０と、上部ユニット１４に設けられ、搬送ローラー対３２によって搬送される原稿Ｐの他方の面を読み取る第２画像読取部としての上部画像読取センサー３８と、下部画像読取センサー４０、上部画像読取センサー３８と排出口２４との間に配置され、原稿Ｐを排出口２４から排出させる排出ローラー対３６と、下部ユニット１２に設けられた第１壁部である下流側壁部６３と上部ユニット１４に設けられた第２壁部である下流側壁部６１とによって形成され、下部画像読取センサー４０、上部画像読取センサー３８と排出口２４との間に設けられ、原稿Ｐが排出ローラー対３６によって排出される排出経路６０と、を備える。
【００５７】
そして、図７の排出経路６０の下流側壁部６３には、排出口２４側に反射する第１反射面としての反射面６５ａ，６５ｂ，６５ｃを有して突出する第１突出部としての突出部６５が設けられ、排出経路６０の下流側壁部６１には、排出口２４側に反射する第２反射面としての反射面６２ａ，６２ｂ，６２ｃを有して突出する第２突出部としての突出部６２が設けられる。
【００５８】
この構成によれば、排出口２４から侵入した外光が、突出部６２，６５によって排出口２４側に反射される。そのため、排出口２４から侵入した外光が、下部画像読取センサー４０及び上部画像読取センサー３８に到達することを抑制できる。従って、キャリブレーションを行った際に、明るさの条件が高く設定されてしまうことが回避され、下部画像読取センサー４０及び上部画像読取センサー３８によって原稿Ｐを読み取った画像が暗くなってしまうことがない。また、簡易な構成により、排出口２４から侵入した外光が、下部画像読取センサー４０及び上部画像読取センサー３８に到達することを抑制できるので、スキャナー１０が大型化することや製造コストの増加を抑制できる。
【００５９】
また、排出経路６０の第１壁部としての下流側壁部６３には、搬送方向に延在して立設する立設部としてのリブ６４が設けられ、リブ６４は、突出部６５より下流側壁部６１側に突出する。これにより、排出される原稿Ｐは、突出部６５に当接しないので、原稿Ｐはリブ６４に支持されて搬送方向Ｙにおける下流側に案内される。
【００６０】
また、図７、図８を用いて説明したように、第１反射面と第２反射面のうちの一方は、他方の面方向の位置に設けられ、一方の面方向と他方の面方向とが交わる搬送方向Ｙの下流側の角度は、９０度以上である。
【００６１】
これにより、第１反射面の面方向に向かう外光を第２反射面によって、搬送方向Ｙの下流側の排出口２４側に反射させることができる。
【００６２】
また、突出部６２，６５は、それぞれ複数設けられる。これにより、突出部６２，６５より搬送方向Ｙの上流側に外光が反射されても、搬送方向Ｙの上流側に配置された別の突出部６２，６５によって排出口２４側に反射させることが可能である。
【００６３】
また、排出口２４の外側には、排出口２４から排出される原稿Ｐが載置される載置部としての排紙トレイ１８が備えられる。
【００６４】
これにより、排紙トレイ１８に載置された原稿Ｐによって反射された外光が、排出口２４から侵入しても、突出部６２，６５によって、排出口２４側に反射させることができる。
【００６５】
本実施形態では、幅方向Ｘに延在する複数の突出部６２及び複数の突出部６５を設けたが、幅方向Ｘに延在する、１本の突出部６２及び１本の突出部６５を設けてもよい。
【００６６】
図９Ａは、半球状に突出する複数の突出部７０の斜視図である。図９Ｂは、幅方向Ｘから見た突出部７０の側面図である。突出部７０は、反射面７１を有して半球状に突出する形状である。本実施形態の突出部６２の反射面６２ａ，６２ｂ，６２ｃ、突出部６５の反射面６５ａ，６５ｂ，６５ｃは、幅方向Ｘに延在したが、図９Ａ、図９Ｂの反射面７１を有し、半球状に突出した複数の突出部７０を、排出経路６０を構成する下流側壁部６１，６３に設けてもよい。
【符号の説明】
【００６７】
１０…スキャナー、１１…筐体、１２…下部ユニット、１４…上部ユニット、１８…排紙トレイ、２４…排出口、３２…搬送ローラー対、３２ａ…搬送駆動ローラー、３２ｂ…搬送従動ローラー、３４…画像読取部、３６…排出ローラー対、３６ａ…排出駆動ローラー、３６ｂ…排出従動ローラー、３８…上部画像読取センサー、４０…下部画像読取センサー、６０…排出経路、６１，６３…下流側壁部、６２，６５，７０…突出部、６２ａ，６２ｂ，６２ｃ，６５ａ，６５ｂ，６５ｃ，７１…反射面、６４…リブ、Ｙ…搬送方向。
【図１】
0006672917.tif 000002
【図２】
0006672917.tif 000003
【図３】
0006672917.tif 000004
【図４】
0006672917.tif 000005
【図５】
0006672917.tif 000006
【図６】
0006672917.tif 000007
【図７】
0006672917.tif 000008
【図８】
0006672917.tif 000009
【図９Ａ】
0006672917.tif 000010
【図９Ｂ】
0006672917.tif 000011